【手続補正書】
【提出日】平成17年11月11日(2005.11.11)
【手続補正１】
【補正対象書類名】明細書
【補正対象項目名】特許請求の範囲
【補正方法】変更
【補正の内容】
【特許請求の範囲】
【請求項１】  金額に関する情報を出力する課金装置と接続する画像形成装置において、
利用者に対し原稿置き忘れ防止の警告を行なうための第１警告手段および第２警告手段を備え、
前記課金装置から受信した金額に関する情報に基づいて残金を判定する判定手段と、
前記判定手段の判定に応じて前記第１警告手段を動作させる第１の警告と、前記第１警告手段と前記第２警告手段の両方を動作させる第２の警告のいずれかを実行するよう制御する制御手段とを有することを特徴とする画像形成装置。
【請求項２】  前記制御手段は前記判定手段により残金がないと判定された場合には、前記第１の警告を実行することを特徴とする請求項１に記載の画像形成装置。
【請求項３】  前記課金装置はさらに返金の指示を示す情報を出力する前記課金装置であって、
前記制御手段は前記判定手段により残金があると判定されている場合に返金の指示を示す情報が入力された際には、前記第２の警告を実行することを特徴とする請求項１または請求項２に記載の画像形成装置。
【請求項４】  前記第１警告手段は原稿置き忘れの警告を表示する警告手段であり、前記第２警告手段は音による警告手段であることを特徴とする請求項１乃至請求項３のいずれかに記載の画像形成装置。
【請求項５】  金額に関する情報を出力する課金装置と接続する画像形成装置で使用される警告方法であって、
利用者に対し原稿置き忘れ防止の警告を行なうための第１警告ステップおよび第２警告ステップを備え、
前記課金装置から受信した金額に関する情報に基づいて残金を判定する判定ステップと、
前記判定ステップの判定に応じて前記第１警告ステップを動作させる第１の警告と、前記第１警告ステップと前記第２警告ステップの両方を動作させる第２の警告のいずれかを実行するよう制御する制御ステップとを有することを特徴とする画像形成装置で使用される警告方法。
【請求項６】  前記制御ステップは前記判定ステップにより残金がないと判定された場合には、前記第１の警告を実行することを特徴とする請求項５に記載の画像形成装置で使用される警告方法。
【請求項７】  前記課金装置はさらに返金の指示を示す情報を出力する前記課金装置であって、
前記制御ステップは前記判定ステップにより残金があると判定されている場合に返金の指示を示す情報が入力された際には、前記第２の警告を実行することを特徴とする請求項５または請求項６に記載の画像形成装置で使用される警告方法。
【請求項８】  前記第１警告ステップは原稿置き忘れの警告を表示する警告ステップであり、前記第２警告ステップは音による警告ステップであることを特徴とする請求項５乃至請求項７のいずれかに記載の画像形成装置で使用される警告方法。
【手続補正２】
【補正対象書類名】明細書
【補正対象項目名】００１０
【補正方法】変更
【補正の内容】
【００１０】
【課題を解決するための手段】
上記目的を達成するため、請求項１に記載の画像形成装置は、金額に関する情報を出力する課金装置と接続する画像形成装置において、利用者に対し原稿置き忘れ防止の警告を行なうための第１警告手段および第２警告手段を備え、前記課金装置から受信した金額に関する情報に基づいて残金を判定する判定手段と、前記判定手段の判定に応じて前記第１警告手段を動作させる第１の警告と、前記第１警告手段と前記第２警告手段の両方を動作させる第２の警告のいずれかを実行するよう制御する制御手段とを有することを特徴とする。
【手続補正３】
【補正対象書類名】明細書
【補正対象項目名】００１１
【補正方法】変更
【補正の内容】
【００１１】
請求項２に記載の画像形成装置は、請求項１に記載の画像形成装置において、前記制御手段は前記判定手段により残金がないと判定された場合には、前記第１の警告を実行することを特徴とする。
【手続補正４】
【補正対象書類名】明細書
【補正対象項目名】００１２
【補正方法】変更
【補正の内容】
【００１２】
請求項３に記載の画像形成装置は、請求項１または請求項２に記載の画像形成装置において、前記課金装置はさらに返金の指示を示す情報を出力する前記課金装置であって、前記制御手段は前記判定手段により残金があると判定されている場合に返金の指示を示す情報が入力された際には、前記第２の警告を実行することを特徴とする。
【手続補正５】
【補正対象書類名】明細書
【補正対象項目名】００１３
【補正方法】変更
【補正の内容】
【００１３】
請求項４に記載の画像形成装置は、請求項１乃至請求項３のいずれかに記載の画像形成装置において、前記第１警告手段は原稿置き忘れの警告を表示する警告手段であり、前記第２警告手段は音による警告手段であることを特徴とする。
【手続補正６】
【補正対象書類名】明細書
【補正対象項目名】００１４
【補正方法】変更
【補正の内容】
【００１４】
請求項５に記載の画像形成装置で使用される警告方法は、金額に関する情報を出力する課金装置と接続する画像形成装置で使用される警告方法であって、利用者に対し原稿置き忘れ防止の警告を行なうための第１警告ステップおよび第２警告ステップを備え、前記課金装置から受信した金額に関する情報に基づいて残金を判定する判定ステップと、前記判定ステップの判定に応じて前記第１警告ステップを動作させる第１の警告と、前記第１警告ステップと前記第２警告ステップの両方を動作させる第２の警告のいずれかを実行するよう制御する制御ステップとを有することを特徴とする。
【手続補正７】
【補正対象書類名】明細書
【補正対象項目名】００１５
【補正方法】変更
【補正の内容】
【００１５】
請求項６に記載の画像形成装置で使用される警告方法は、請求項５に記載の画像形成装置で使用される警告方法において、前記制御ステップは前記判定ステップにより残金がないと判定された場合には、前記第１の警告を実行することを特徴とする。
【手続補正８】
【補正対象書類名】明細書
【補正対象項目名】００１６
【補正方法】変更
【補正の内容】
【００１６】
請求項７に記載の画像形成装置で使用される警告方法は、請求項５または請求項６に記載の画像形成装置で使用される警告方法は、前記課金装置はさらに返金の指示を示す情報を出力する前記課金装置であって、前記制御ステップは前記判定ステップにより残金があると判定されている場合に返金の指示を示す情報が入力された際には、前記第２の警告を実行することを特徴とする。
【手続補正９】
【補正対象書類名】明細書
【補正対象項目名】００１７
【補正方法】変更
【補正の内容】
【００１７】
請求項８に記載の画像形成装置で使用される警告方法は、請求項５乃至請求項７のいずれかに記載の画像形成装置で使用される警告方法において、前記第１警告ステップは原稿置き忘れの警告を表示する警告ステップであり、前記第２警告ステップは音による警告ステップであることを特徴とする。
【手続補正１０】
【補正対象書類名】明細書
【補正対象項目名】００５３
【補正方法】変更
【補正の内容】
【００５３】
また、本実施の形態によれば、残金の有無に応じて、表示部１０３による原稿の置き忘れの警告表示及び警告部１０９による音声警告の実行の可否が決定されるので、残金の有無に応じて利用者に対して警告の方法を変えることができ、原稿の置き忘れを効果的に防止することができる。具体的には、課金装置からコイン返却の指示が入力されたときに、利用者に対して音による警告が実行され、原稿の置き忘れの警告が表示されるので、利用者からコイン返却の指示がある場合に、音による警告で利用者に対して画像形成装置に対する注意を喚起し、利用者の視覚に原稿置き忘れの警告を訴えることができ、原稿の置き忘れを効果的に防止することができる。更に、残金がないと判別された場合には、原稿の置き忘れの警告が表示されるので、原稿の置き忘れを効果的に防止することができ、残金があると判別され、且つ課金装置からコイン返却の指示が入力されたときには、音による警告で利用者に対して画像形成装置に対する注意を喚起し、利用者の視覚に原稿置き忘れの警告を訴えることができ、原稿の置き忘れを効果的に防止することができる。
【手続補正１１】
【補正対象書類名】明細書
【補正対象項目名】００５９
【補正方法】変更
【補正の内容】
【００５９】
【発明の効果】
以上詳細に説明したように、請求項１に記載の画像形成装置及び請求項５に記載の画像形成装置で使用される警告方法によれば、残金に応じて警告の方法を変えることにより原稿の置き忘れを効果的に防止することができる。
【手続補正１２】
【補正対象書類名】明細書
【補正対象項目名】００６０
【補正方法】変更
【補正の内容】
【００６０】
請求項２に記載の画像形成装置及び請求項６に記載の画像形成装置で使用される警告方法によれば、残金がないと判定された場合に、第１の警告を実行することで原稿の置き忘れを効果的に防止することができる。
【手続補正１３】
【補正対象書類名】明細書
【補正対象項目名】００６１
【補正方法】変更
【補正の内容】
【００６１】
請求項３に記載の画像形成装置及び請求項７に記載の画像形成装置で使用される警告方法によれば、残金があると判定されている場合に、返金の指示を示す情報が入力された際には、複数の警告手段あるいは警告ステップを動作する第２の警告を実行することで原稿の置き忘れを効果的に防止することができる。
【手続補正１４】
【補正対象書類名】明細書
【補正対象項目名】００６２
【補正方法】変更
【補正の内容】
【００６２】
請求項４に記載の画像形成装置及び請求項８に記載の画像形成装置で使用される警告方法によれば、原稿置き忘れのための表示による警告手段と音による警告手段を用いて効果的に原稿の置き忘れを効果的に防止することができる。例えば、返金に気を取られている利用者には表示と音の両方で警告する等である。